(57)【要約】【課題】汎用性に優れ、足以外の多様な人体部位の加温にも用いることができると共に、安価に多用な人体部位の加温を行うことができる。【解決手段】略半円筒形の基体２０と、基体２０に着脱可能に取り付けられるカバー体３０とを備え、基体２０は、内周面に沿って面状に設けられる遠赤外線加温部２２と、遠赤外線加温部２２の動作を制御する制御部２３とを有し、カバー体３０は、略矩形の第１のカバー領域３１と、第１のカバー領域３１と隣接して配置され、脚を挿通可能な開口部３２２が設けられている第２のカバー領域３２と、第２のカバー領域３２とは反対側で第１のカバー領域３１と隣接して配置される第３のカバー領域３３とを有し、第１のカバー領域３１で基体２０の軸方向に延びる両縁２１・２１間の開放領域を被覆し、第２のカバー領域３２で基体２０の軸方向の一方端側の開放領域を被覆し、第３のカバー領域３３で基体２０の軸方向の他方端側の開放領域を被覆する足温器。【選択図】図１
2010284238.tif 000002
【特許請求の範囲】
【請求項１】
略半筒形の基体と、前記基体に着脱可能に取り付けられるカバー体とを備え、
前記基体は、内面に沿って面状に設けられる加温部と、前記加温部の動作を制御する制御部とを有し、
前記カバー体は、少なくとも、略矩形の第１のカバー領域と、前記第１のカバー領域と隣接して配置され、脚を挿通可能な開口部が設けられている第２のカバー領域とを有し、
前記第１のカバー領域で前記基体の軸方向に延びる両縁間の開放領域を被覆し、
前記第２のカバー領域で前記基体の軸方向の一方端側の開放領域を被覆することを特徴とする足温器。
【請求項２】
前記基体を略半円筒形として、前記加温部を内周面に沿って面状に設けると共に、
前記カバー体を前記第２のカバー領域とは反対側で前記第１のカバー領域と隣接して配置される第３のカバー領域を有するものとして、前記第３のカバー領域で前記基体の軸方向の他方端側の開放領域を被覆することを特徴とする請求項１記載の足温器。
【請求項３】
前記加温部として遠赤外線光による遠赤外線加温部を設け、
前記第１のカバー領域と前記第２のカバー領域の内面に、若しくは前記第１のカバー領域と前記第２のカバー領域と前記第３のカバー領域の内面に、前記遠赤外線光を反射する反射面を設けることを特徴とする請求項１又は２記載の足温器。
【請求項４】
前記開口部に脚を挿通した状態で前記開口部を密閉可能な巾着状の被覆部を設けることを特徴とする請求項１〜３の何れかに記載の足温器。
【請求項５】
前記加温部として遠赤外線光による遠赤外線加温部を設け、
前記被覆部の内面に前記遠赤外線光を反射する反射面を設けることを特徴とする請求項４記載の足温器。
【請求項６】
前記基体の両縁の内端間の寸法を３０ｃｍ〜５０ｃｍ、前記基体の軸方向の長さを３０ｃｍ〜５０ｃｍとすることを特徴とする請求項１〜５の何れかに記載の足温器。
【請求項７】
前記第１のカバー領域の幅方向両縁に沿って前記両縁からそれぞれ突出して設けられる第１の取付帯と、
前記第２のカバー領域の外周縁に沿って前記外周縁から内方に突出して設けられる第２の取付帯と、
前記第３のカバー領域の外周縁に沿って前記外周縁から内方に突出して設けられる第３の取付帯とを有し、
前記第１の取付帯を内側、前記第２の取付帯及び前記第３の取付帯を外側にして各端部を重ね合わせ、
前記第１の取付帯の前記第２のカバー領域側の端部の外面と前記第２の取付帯の端部の内面とに一対で設けられる第１の着脱部で前記第１の取付帯と前記第２の取付帯とを着脱可能に固着し、
前記第１の取付帯の前記第３のカバー領域側の端部の外面と前記第３の取付帯の端部の内面とに一対で設けられる第２の着脱部で前記第１の取付帯と前記第３の取付帯とを着脱可能に固着すると共に、
前記カバー体の前記基体への取付状態で、前記第２の取付帯と前記第３の取付帯との間に第４の取付帯を張設することを特徴とする請求項２〜６の何れかに記載の足温器。
【発明の詳細な説明】
【技術分野】
【０００１】
本発明は、足を温める足温器に関する。
【背景技術】
【０００２】
従来、足を温めて血行を良くする足温器が知られている。足温器は、例えば足を収容する木製、樹脂製等の本体と、本体に足を出し入れするために本体に設けられる開口部と、足を本体に入れた際に開口部を密閉する密閉部と、足を加温するために本体内部に設けられる遠赤外線ランプと、本体内部に設けられる光の反射面とから構成され、足首から下の足を温めるようになっている（特許文献１参照）。
【先行技術文献】
【特許文献】
【０００３】
【特許文献１】特開２０００−５１３７６号公報
【発明の概要】
【発明が解決しようとする課題】
【０００４】
ところで、上記足温器は、足首から下の足を温めるための専用加温器であるが、健康増進や疲労回復を確実に図るためには、足のみならず、下腿、膝、上腿、腰、腕、肩、頭など多用な人体部位を必要に応じて温めて血行を良くすることが求められる。このような足以外の多様な人体部位は、それぞれを専用の加温器で温めることも可能であるが、利用者は多数の専用加温器を揃える必要が生ずるため、非常に高価となってしまう。そのため、足以外の多様な人体部位の加温にも用いることができる足温器が求められている。
【０００５】
本発明は上記課題に鑑み提案するものであって、汎用性に優れ、足以外の多様な人体部位の加温にも用いることができると共に、安価に多用な人体部位の加温を行うことができる足温器を提供することを目的とする。
【課題を解決するための手段】
【０００６】
本発明の足温器は、略半筒形の基体と、前記基体に着脱可能に取り付けられるカバー体とを備え、前記基体は、内面に沿って面状に設けられる加温部と、前記加温部の動作を制御する制御部とを有し、前記カバー体は、少なくとも、略矩形の第１のカバー領域と、前記第１のカバー領域と隣接して配置され、脚を挿通可能な開口部が設けられている第２のカバー領域とを有し、前記第１のカバー領域で前記基体の軸方向に延びる両縁間の開放領域を被覆し、前記第２のカバー領域で前記基体の軸方向の一方端側の開放領域を被覆することを特徴とする。
前記構成では、基体の所要の開放領域をカバー体で被覆することにより、開口部から脚を挿通する利用者の足及び下腿を温めて血行を良くすることができる。また、カバー体を取り外し、略半筒形の基体を下腿のより上側の部分、膝、上腿、腰、腕、肩、頭など多用な人体部位の周囲に配置して、足以外の多様な人体部位の加温に用いることができ、汎用性に優れる。また、足温器で多用な人体部位の加温を行うことができるので、安価に多用な人体部位の加温を行うことができる。
【０００７】
また、本発明の足温器は、前記基体を略半円筒形として、前記加温部を内周面に沿って面状に設けると共に、前記カバー体を前記第２のカバー領域とは反対側で前記第１のカバー領域と隣接して配置される第３のカバー領域を有するものとして、前記第３のカバー領域で前記基体の軸方向の他方端側の開放領域を被覆することを特徴とする。
前記構成では、略半円筒形の内周面に沿って面状に設けられる加温部で利用者の足や下腿をより均一に温めて血行を良くすることができる。また、第３のカバー領域による被覆で密閉性を高め、より効率的な加温が可能となる。
【０００８】
また、本発明の足温器は、前記加温部として遠赤外線光による遠赤外線加温部を設け、前記第１のカバー領域と前記第２のカバー領域の内面に、若しくは前記第１のカバー領域と前記第２のカバー領域と前記第３のカバー領域の内面に、前記遠赤外線光を反射する反射面を設けることを特徴とする。
前記構成では、各カバー領域の遠赤外線光を反射する反射面により、遠赤外線光をより有効的に活用し、より効率的な加温が可能となる。また、カバー領域と基体の隙間から遠赤外線光が漏出する可能性のあることに対応し、漏出する遠赤外線光の反射する遠赤外線光でカバーすることができる。
【０００９】
また、本発明の足温器は、前記開口部に脚を挿通した状態で前記開口部を密閉可能な巾着状の被覆部を設けることを特徴とする。
前記構成では、巾着状の被覆部により密閉性を高め、より効率的な加温が可能となる。また、被覆部を巾着状とすることにより、紐の引き締めやその開口の引き拡げによって利用者が簡単に密閉と密閉解除を行うことができる。
【００１０】
また、本発明の足温器は、前記加温部として遠赤外線光による遠赤外線加温部を設け、前記被覆部の内面に前記遠赤外線光を反射する反射面を設けることを特徴とする。
前記構成では、被覆部の内面に反射面を設けることにより、遠赤外線光が逃げ易い被覆部の開口近傍において遠赤外線光を有効的に活用し、利用者の下腿を効果的に温めることができると共に、より効率的な加温が可能となる。
【００１１】
また、本発明の足温器は、前記基体の両縁の内端間の寸法を３０ｃｍ〜５０ｃｍ、前記基体の軸方向の長さを３０ｃｍ〜５０ｃｍとすることを特徴とする。
前記構成では、下腿、膝、上腿、腰、腕、肩、頭など多用な人体部位の周囲に足温器を配置する際に、確実に必要な領域に足温器を配置することができると共に、効果的な人体部位の温めを確実に行うことができる。
【００１２】
また、本発明の足温器は、前記第１のカバー領域の幅方向両縁に沿って前記両縁からそれぞれ突出して設けられる第１の取付帯と、前記第２のカバー領域の外周縁に沿って前記外周縁から内方に突出して設けられる第２の取付帯と、前記第３のカバー領域の外周縁に沿って前記外周縁から内方に突出して設けられる第３の取付帯とを有し、前記第１の取付帯を内側、前記第２の取付帯及び前記第３の取付帯を外側にして各端部を重ね合わせ、前記第１の取付帯の前記第２のカバー領域側の端部の外面と前記第２の取付帯の端部の内面とに一対で設けられる第１の着脱部で前記第１の取付帯と前記第２の取付帯とを着脱可能に固着し、前記第１の取付帯の前記第３のカバー領域側の端部の外面と前記第３の取付帯の端部の内面とに一対で設けられる第２の着脱部で前記第１の取付帯と前記第３の取付帯とを着脱可能に固着すると共に、前記カバー体の前記基体への取付状態で、前記第２の取付帯と前記第３の取付帯との間に第４の取付帯を張設することを特徴とする。
前記構成では、第１〜第３の取付帯が基体に重なるようにして基体とカバー体との間の隙間を閉塞するので、密閉性が非常に高い空間を形成することができる。また、第４の取付帯の張設で安定して設置される第２、第３の取付帯の内側に第１の取付帯を設けることで、第１〜第３の取付帯を高い安定性で設置することができ、これにより、基体と第１〜第３のカバー領域とで構成される密閉空間の状態をより安定させることができる。また、端部の着脱部でカバー体との取り付け、取り外しを容易に行うことができる。
【発明の効果】
【００１３】
本発明の足温器は、汎用性に優れ、足以外の多様な人体部位の加温にも用いることができると共に、安価に多用な人体部位の加温を行うことができる。
【図面の簡単な説明】
【００１４】
【図１】本発明による実施形態の足温器の斜視図。
【図２】図１の足温器の基体を示す斜視図。
【図３】図１の足温器のカバー体を示す平面図。
【図４】図３のカバー体の背面図。
【発明を実施するための形態】
【００１５】
〔実施形態の足温器〕
本発明による実施形態の足温器について図面を参照して説明する。図１は本発明による実施形態の足温器の斜視図、図２は図１の足温器の基体を示す斜視図、図３は図１の足温器のカバー体を示す平面図、図４は図３のカバー体の背面図である。
【００１６】
本実施形態の足温器１０は、図１に示すように、略半筒形である略半円筒形の基体２０と、基体２０に着脱可能に取り付けられ、展開した状態では略小判形であるカバー体３０とから構成される。
【００１７】
基体２０は、図２に示すように、樹脂等で略半円筒形に形成され、基体２０の軸方向に延びる両縁２１・２１間の曲面の内周面に沿って、加温部である遠赤外線加温部２２が面状に設けられている。本例に於ける遠赤外線加温部２２は、遠赤外線の放射効率の高いセラミックス等の遠赤外線放射層を有する面状ヒーターであり、遠赤外線光を人体部位に照射して人体部位を温めることが可能になっている。また、基体２０の外周面の所定箇所には、遠赤外線加温部２２の動作を制御する制御部２３が設けられている。制御部２３からは外部の電源に接続する電源コード（図示省略）が導出されていると共に、制御部２３には、遠赤外線加温部２２を駆動・停止するＯＮ／ＯＦＦスイッチ（図示省略）と、遠赤外線加温部２２の温度レベルを調整する調整スイッチ（図示省略）が設けられている。
【００１８】
基体２０の寸法は、足、下腿、膝、上腿、腰、腕、肩、頭等の所要の人体部位の外方周囲に配置することが可能であり、且つ遠赤外線加温部２２から照射する遠赤外線照射光で各人体部位を効果的に加温可能な寸法であれば適宜であるが、基体２０の両縁２１・２１の内端間を直線的に結ぶ寸法である両縁２１・２１の内端間の寸法Ａを３０〜５０ｃｍ程度、基体２０の軸方向の長さを３０〜５０ｃｍ程度とすると好適である。
【００１９】
カバー体３０は、図３及び図４に示すように、基体２０から取り外して展開した略小判形の状態において、略矩形の第１のカバー領域３１と、カバー体３０の長手方向に於ける第１のカバー領域３１の一方側（図示上側）で、第１のカバー領域３１と隣接して配置されている略半円形の第２のカバー領域３２と、カバー体３０の長手方向に於ける第１のカバー領域３１の他方側（図示下側）、即ち第２のカバー領域３２とは反対側で、第１のカバー領域３１と隣接して配置される第３のカバー領域３３とを有する。
【００２０】
第１のカバー領域３１の内面には、遠赤外線光を反射する反射面３１１が設けられ、遠赤外線加温部２２から照射される遠赤外線光を反射可能になっている。カバー体３０の基体２０への取付時には、第１のカバー領域３１は、基体２０の軸方向に延びる両縁２１・２１間の略矩形の開放領域を被覆し、遠赤外線加温部２２で照射される遠赤外線光を遠赤外線加温部２２と対向する反射面３１１で反射するようになっている。また、第１のカバー領域３１には、その幅方向（図示左右方向）の両縁に沿って、両縁からそれぞれ突出して直線帯状の第１の取付帯３１２・３１２が設けられている。第１の取付帯３１２の両端部の外面側には、それぞれ一方の着脱具３１３が設けられており、本例では一方の着脱具３１３としてマジックテープ（登録商標）が設けられている。
【００２１】
第２のカバー領域３２の内面には、遠赤外線光を反射する反射面３２１が設けられ、遠赤外線加温部２２から照射される遠赤外線光を反射可能になっている。カバー体３０の基体２０への取付時には、第２のカバー領域３２は、基体２０の軸方向の一方端側の略半円形の開放領域を被覆し、遠赤外線加温部２２で照射される遠赤外線光を反射面３２１で反射するようになっている。また、第２のカバー領域３２には、脚を挿通可能な開口部３２２が形成され、開口部３２２の外側には開口部３２２に脚を挿通した際に脚の周囲を被覆する布等の被覆部３２３が設けられている。被覆部３２３は、紐３２４の引き締めで開口を狭められる巾着状であり、開口部３２２に脚を挿通した状態で開口部３２２を密閉可能になっている。被覆部３２３の内面には、遠赤外線光を反射する反射面３２５が設けられ、遠赤外線加温部２２で照射される遠赤外線光を反射面３２５で反射するようになっている。
【００２２】
第２のカバー領域３２には、その外周縁に沿って、外周縁から反射面３２１側である内方に突出して曲線帯状の第２の取付帯３２６が設けられている。第２の取付帯３２６の両端部の内面側には、それぞれ他方の着脱具３２７が設けられており、本例では他方の着脱具３２７としてマジックテープが設けられている。第１の取付帯３１２の第２のカバー領域３２側の端部外面に設けられている一方の着脱具３１３と、第２のカバー領域３２の端部内面に設けられている他方の着脱具３２７とは、一対で第１の着脱部を構成しており、カバー体３０の基体２０への取付時に、第１の取付帯３１２を内側、第２の取付帯３２６を外側にして第１の取付帯３１２の端部と第２の取付帯３２６の端部を重ね合わせ、前記一対の第１の着脱部である一方の着脱具３１３と他方の着脱具３２７とで第１の取付帯３１２と第２の取付帯３２６とを着脱可能に固着するようになっている。
【００２３】
第３のカバー領域３３の内面には、遠赤外線光を反射する反射面３３１が設けられ、遠赤外線加温部２２から照射される遠赤外線光を反射可能になっている。カバー体３０の基体２０への取付時には、第３のカバー領域３３は、基体２０の軸方向の他方端側の略半円形の開放領域を被覆し、遠赤外線加温部２２で照射される遠赤外線光を反射面３３１で反射するようになっている。
【００２４】
第３のカバー領域３３には、その外周縁に沿って、外周縁から反射面３３１側である内方に突出して曲線帯状の第３の取付帯３３２が設けられている。第３の取付帯３３２の両端部の内面側には、それぞれ他方の着脱具３３３が設けられており、本例では他方の着脱具３３３としてマジックテープが設けられている。第１の取付帯３１２の第３のカバー領域３３側の端部外面に設けられている一方の着脱具３１３と、第３のカバー領域３３の端部内面に設けられている他方の着脱具３３３とは、一対で第２の着脱部を構成しており、カバー体３０の基体２０への取付時に、第１の取付帯３１２を内側、第３の取付帯３３２を外側にして第１の取付帯３１２の端部と第３の取付帯３３２の端部を重ね合わせ、前記一対の第２の着脱部である一方の着脱具３１３と他方の着脱具３３３とで第１の取付帯３１２と第３の取付帯３３２とを着脱可能に固着するようになっている。
【００２５】
また、第２の取付帯３２６の中央と端部の中間程度の位置に２本の直線帯状の第４の取付帯３４が設けられ、第４の取付帯３４の一端が第２の取付帯３２６の外面に縫い合わせ等で固定されている。第４の取付帯３４の他端の内面には一方の着脱具３４１が設けられ、これに対応して、第３の取付帯３３２の外面の対応する位置には他方の着脱具３３４が設けられている。本例では一方の着脱具３４１、他方の着脱具３３４としてマジックテープが用いられている。カバー体３０の基体２０への取付時には、第４の取付帯３４の他端を第３の取付帯３３２まで延ばして一方の着脱具３４１と他方の着脱具３３４とを固着して、第２の取付帯３２６と第３の取付帯３３２との間に第４の取付帯３４を張設し、第２のカバー領域３２、第３のカバー領域３３及び第１のカバー領域３１による開放領域の被覆状態を確実に安定させることができるようになっている。
【００２６】
基体２０にカバー体３０を取り付けて足温器１０を構成する際には、第３のカバー領域３３上に、基体２０の軸方向を上下方向にし且つ基体２０の略半円筒形の形状を略半円形の第３のカバー領域３３の形状に合わせて載置する。その後、カバー体３０を第３のカバー領域３３と第１のカバー領域３１との間で折り曲げて、第１のカバー領域３１で両縁３１・３１間の略矩形の開放領域を被覆するようにし、更に、カバー体３０を第１のカバー領域３１と第２のカバー領域３２との間で折り曲げて、第２のカバー領域３２で基体２０の軸方向の一端側の開放領域を被覆する。この際、第２の取付帯３２６の端部と第３の取付帯３３２の端部をそれぞれ第１の取付帯３１の端部の外側に配置し、一方の着脱具３１３と他方の着脱具３２７、一方の着脱具３１３と他方の着脱具３３３とを着脱可能に固着する。更に、第４の取付帯３４の他端を第３の取付帯３３２まで延ばして一方の着脱具３４１と他方の着脱具３３４とを着脱可能に固着する。これにより、足温器１０が完成する。
【００２７】
そして、足温器１０を使用する際には、利用者が椅子に座った状態等で開口部３２２及び被覆部３２３から脚を挿通し、足及び下腿を足温器１０内に収容する。この状態で被覆部３２３の紐３２４を引き締めて被覆部３２３の開口を狭めることにより密閉し、足温器１０内に密閉された空間を形成する。その後、利用者は、制御部２３を操作して遠赤外線加温部２２を駆動し、足温器１０内で遠赤外線光を放射して利用者の足及び下腿を温める。放射された遠赤外線光は各反射面３１１、３２１、３３１、３２５で反射されるので、利用者の足及び下腿は非常に効果的に温められる。足温器１０の使用を終了する際には、制御部２３を操作して遠赤外線加温部２２を停止し、紐３２４を緩めて開口部３２２及び被覆部３２３から脚を抜いて終わりとなる。
【００２８】
また、足温器１０を足及び下腿以外の人体部位の加温に用いる際には、上記と逆の動作で基体２０からカバー体３０を取り外し、基体２０を所要の人体部位の外方周囲に配置し、制御部２３を操作して遠赤外線加温部２２を駆動し、遠赤外線光を所要の人体部位に照射して温めることができる。これにより、下腿、膝、上腿、腰、腕、肩、頭など多用な人体部位を温めることができる。
【００２９】
本実施形態の足温器１０は、利用者の足及び下腿を温めて血行を良くすることができる。また、下腿、上腿、腰、腕、肩、頭など多用な人体部位の周囲に配置して、足以外の多様な人体部位の加温に用いることができ、汎用性に優れると共に、安価に多用な人体部位の加温を行うことができる。また、略半円筒形の内周面に沿って面状に設けられる遠赤外線加温部２２で利用者の足や下腿をより均一に温めて血行を良くすることができる。また、カバー領域３１、３２、３３による被覆及び巾着状の被覆部２３２で密閉性を高め、より効率的な加温が可能となる。また、反射面３１１、３２１、３３１、３２５により、遠赤外線光をより有効的に活用し、より効率的な加温が可能となる。また、被覆部３２３の内面に反射面３２５を設けることにより、遠赤外線光が逃げ易い被覆部３２３の開口近傍において遠赤外線光を有効的に活用し、利用者の下腿を効果的に温めることができる。また、被覆部３２３を巾着状とすることにより、紐３２４の引き締めやその開口の引き拡げによって利用者が簡単に密閉と密閉解除を行うことができる。また、取付帯３１２、３２６、３３２が基体２０の外側に重なるようにして基体２０とカバー体３０との間の隙間を閉塞するので、密閉性が非常に高い空間を形成することができる。
【００３０】
〔実施形態の変形例等〕
本明細書開示の発明には、各発明や実施形態等の構成の他に、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものも含まれ、下記のような変形例も包含される。
【００３１】
例えば第１の着脱部である一方の着脱具３１３と他方の着脱具３２７、第２の着脱部である一方の着脱具３１３と他方の着脱具３３３、或いは一方の着脱具３４１と他方の着脱具３３４、の各一対で構成される着脱部は、マジックテープ以外にも着脱可能で固着できるものであれば適宜であり、例えばボタンとその嵌め込み部、鉤状の掛止フックとその引っ掛け部等とすることが可能である。また、第４の取付帯３４を設ける位置、その本数は必要に応じて適宜である。また、反射面３１１、３２１、３３１、３２５は抗菌性の銀を含む素材とすると好適である。また、反射面３１１、３２１、３３１、３２５について必要に応じて所要のものだけを設ける構成、或いは反射面３１１、３２１、３３１、３２５を設けない構成とすることも可能である。
【００３２】
また、基体２０には略半円筒形以外の略半筒形のものを用いることが可能である。また、加温部には遠赤外線加温部２２以外の人体部位を温め可能な適宜のものを用いることができる。また、第３のカバー領域３３を設けずに、第１のカバー領域３１と第２のカバー領域３２だけを設け、相互の重なり端部で固着して取り付ける構成とすることも可能である。また、被覆部３２３には巾着状以外の密閉可能な構成のものを用いることが可能である。また、カバー体３０を基体２０に取り付けて固定する構成は、取付帯３１２、３２６、３３４、３４以外の構成とすることも可能であり、例えばカバー領域３１、３２、３３に突条等の係合部を設け、基体２０の縁の対応する位置に凹溝等の被係合部を設ける構成等とすることが可能である。
【産業上の利用可能性】
【００３３】
本発明は、足を温めて血行を良くする足温器として利用することができる。
【符号の説明】
【００３４】
１０…足温器  ２０…基体  ２１…両縁  ２２…遠赤外線加温部  ２３…制御部  ３０…カバー体  ３１…第１のカバー領域  ３１１…反射面  ３１２…第１の取付帯  ３１３…一方の着脱具  ３２…第２のカバー領域  ３２１…反射面  ３２２…開口部  ３２３…被覆部  ３２４…紐  ３２５…反射面  ３２６…第２の取付帯  ３２７…他方の着脱具  ３３…第３のカバー領域  ３３１…反射面  ３３２…第３の取付帯  ３３３、３３４…他方の着脱具  ３４…第４の取付帯  ３４１…一方の着脱具  Ａ…基体２０の両縁内端間の寸法
【図１】
2010284238.tif 000003
【図２】
2010284238.tif 000004
【図３】
2010284238.tif 000005
【図４】
2010284238.tif 000006